(57)【要約】【課題】適切な投資判断を行うことを可能とする情報処理装置を提供する。【解決手段】所定の金融商品に係る複数の売買希望情報を記憶する記憶部１２と、記憶部１２に記憶された複数の売買希望情報に基づいて、複数の売買希望情報のそれぞれを当該売買希望情報に係る売買希望価格、売買希望口数、及び売買希望期限と共に表示するための表示情報を生成し、表示情報を通信ネットワーク２を介して接続されたユーザ端末２０に送信する表示情報処理部１３１と、ユーザ端末２０から、複数の売買希望情報に含まれる少なくとも一の売買希望情報とのマッチングの要求を受け付けるマッチング要求受付部１３２と、を備えることを特徴とする情報処理装置１０。【選択図】図１１
2019168919.tif 000002
【特許請求の範囲】
【請求項１】
所定の金融商品に係る複数の売買希望情報を記憶する記憶部と、
前記記憶部に記憶された前記複数の売買希望情報に基づいて、前記複数の売買希望情報のそれぞれを当該売買希望情報に係る売買希望価格、売買希望口数、及び売買希望期限と共に表示するための表示情報を生成し、前記表示情報を通信ネットワークを介して接続されたユーザ端末に送信する表示情報処理部と、
前記ユーザ端末から、前記複数の売買希望情報に含まれる少なくとも一の売買希望情報とのマッチングの要求を受け付けるマッチング要求受付部と、を備えることを特徴とする情報処理装置。
【請求項２】
前記表示情報は、更に、前記売買希望口数を分割して取引に応じることが許容されているか否かを示すタイプ情報を含む、請求項１に記載の情報処理装置。
【請求項３】
前記売買希望期限は、決済期限である、請求項１又は２に記載の情報処理装置。
【請求項４】
前記所定の金融商品は、所定の非上場の金融商品である、請求項１から３のいずれか一項に記載の情報処理装置。
【請求項５】
前記所定の非上場の金融商品は、所定の私募リートである、請求項１から４のいずれか一項に記載の情報処理装置。
【請求項６】
他の売買希望情報を受け付け、前記記憶部に記憶させる売買希望情報処理部を更に備える、請求項１から５のいずれか一項に記載の情報処理装置。
【発明の詳細な説明】
【技術分野】
【０００１】
本発明は、情報処理装置に関するものである。
【背景技術】
【０００２】
株式等の金融商品の取引において、市場の売買注文の状況を把握するために板情報が参照されることがある。例えば、特許文献１には、ある銘柄の板情報を取得した上で、取得した当該板情報に係る注文数に基づいて所定の指標を算出することにより、当該板情報を解析する板情報解析装置が開示されている。特許文献１に係る板情報には、取引希望価格である気配値に関連付けて、当該気配値での証券の売り注文数又は買い注文数を示す注文数が格納されている。
【先行技術文献】
【特許文献】
【０００３】
【特許文献１】特開２０１３−４１４２３号公報
【発明の概要】
【発明が解決しようとする課題】
【０００４】
しかしながら、上述した板情報のように複数の注文を価格で集約した上で価格ごとに注文数を表示するだけでは、仮にある価格の注文数が１０００口と表示されていても、それが１０００口の注文が１件あるのか、１００口の注文が１０件あるのかの判断が困難である。
【０００５】
注文の件数の大きさは取引の相手方の数を示す指標といえるところ、取引の相手方の多さに応じて売買注文のマッチングに係る処理の負担は増減する。特に、私募リート等の非上場の金融商品については、マッチング後において譲渡契約や決済等の多くの事務作業が発生するため、注文の件数を把握できないことによる弊害は大きい。
【０００６】
そこで、本発明は、適切な投資判断を可能とする情報処理装置を提供することを目的とする。
【課題を解決するための手段】
【０００７】
本発明に係る情報処理装置は、所定の金融商品に係る複数の売買希望情報を記憶する記憶部と、記憶部に記憶された複数の売買希望情報に基づいて、複数の売買希望情報のそれぞれを当該売買希望情報に係る売買希望価格、売買希望口数、及び売買希望期限と共に表示するための表示情報を生成し、表示情報を通信ネットワークを介して接続されたユーザ端末に送信する表示情報処理部と、ユーザ端末から、複数の売買希望情報に含まれる少なくとも一の売買希望情報とのマッチングの要求を受け付けるマッチング要求受付部と、を備えることを特徴とする。
【０００８】
この態様によれば、ユーザは、各売買ニーズの売買希望口数及び売買希望期限を知ることができる。したがって、適切な投資判断を行うことが可能となる。
【発明の効果】
【０００９】
本発明によれば、適切な投資判断を可能とする情報処理装置を提供することができる。
【図面の簡単な説明】
【００１０】
【図１】マッチングシステム１の一例を示すネットワーク構成図である。
【図２】サーバ装置１０の機能上の構成を示すブロック図である。
【図３】ユーザテーブルの一例を示す図である。
【図４】商品テーブルの一例を示すである。
【図５】売買ニーズテーブルの一例を示す図である。
【図６】ユーザ端末２０の機能上の構成を示すブロック図である。
【図７】売買ニーズ登録処理の動作シーケンスの一例を示す図である。
【図８】売買ニーズ登録画面１０００の一例を示す図である。
【図９】マッチング処理の動作シーケンスの一例を示す図である。
【図１０】売買ニーズ一覧画面２０００の一例を示す図である。
【図１１】売買ニーズ一覧画面２０００の他の一例を示す図である。
【図１２】マッチング要求画面３０００の一例を示す図である。
【発明を実施するための形態】
【００１１】
添付図面を参照して、本発明の好適な実施形態について説明する。（なお、各図において、同一の符号を付したものは、同一又は同様の構成を有する。）
【００１２】
図１は、マッチングシステム１の一例を示すネットワーク構成図である。マッチングシステム１は、例えば、所定の金融商品についての売却ニーズ（売却希望情報）及び購入ニーズ（購入希望情報）をマッチングする。そのために、マッチングシステム１は、サーバ装置１０と、サーバ装置１０にインターネット等の通信ネットワーク２を介して接続された複数のユーザ端末２０とを含む。
【００１３】
以下では、非上場の金融商品である私募リートを例として、マッチングシステム１について説明する。ここで、私募リートとは、証券取引所には上場されず、機関投資家など特定の投資家だけを対象として私的な募集によって販売される不動産投資信託（リート）をいう。
【００１４】
また、売却ニーズ（売却希望情報）とは、所定のユーザが所定の私募リートの売却を希望することを示す情報をいう。売却ニーズは、例えば、売却希望価格と、売却希望口数と、売却タイプと、売却希望期限とを含む。売却希望価格は、ユーザが当該私募リートの売却を希望する価格を示す情報であって、例えば、当該私募リートの基準価額（当該私募リートに係る不動産の経済的価値を示す指標であって、不動産鑑定士等により算出された価格）と、ユーザが希望する比率（売却希望比率）とを乗じて得た額として表される。売却希望口数は、ユーザが当該私募リートの売却を希望する口数を示す情報である。売却タイプは、ユーザが売却希望口数を分割して売却することを許容するか否かを示す情報であって、例えば、許容する場合には「分割可」として表され、許容しない場合は「一括」として表される。売却希望期限は、ユーザが当該私募リートの売却を希望する期限であって、例えば、各社の決済期限等を含む。
【００１５】
また、購入ニーズ（購入希望情報）とは、所定のユーザが所定の私募リートの購入を希望することを示す情報をいう。購入ニーズは、例えば、購入希望価格と、購入希望口数と、購入タイプと、購入希望期限とを含む。購入希望価格は、ユーザが当該私募リートの購入を希望する価格を示す情報であって、例えば、当該私募リートの基準価額と、ユーザが希望する比率（購入希望比率）とを乗じて得た額として表される。購入希望口数は、ユーザが当該私募リートの購入を希望する口数を示す情報である。購入タイプは、ユーザが購入希望口数を分割して購入することを許容するか否かを示す情報であって、例えば、許容する場合には「分割可」として表され、許容しない場合は「一括」として表される。購入希望期限は、ユーザが当該私募リートの購入を希望する期限であって、例えば、各社の決済期限等を含む。
【００１６】
以下では、売却ニーズ及び購入ニーズを併せて「売買ニーズ」と、売却希望価格及び購入希望価格を併せて「売買希望価格」と、売却希望比率及び購入希望比率を併せて「売買希望比率」と、売却希望口数及び購入希望口数を併せて「売買希望口数」と、それぞれ称する場合がある。また、以下では、売却タイプ及び購入タイプを併せて「売買タイプ」と、売却希望期限及び購入希望期限を併せて「売買希望期限」と、それぞれ称する場合がある。
【００１７】
図２は、サーバ装置１０の機能上の構成を示すブロック図である。また、図３〜図５は、サーバ記憶部１２が記憶する各種テーブルのデータ構造の一例を示す図である。サーバ装置１０は、情報処理装置の一例であって、サーバ通信部１１と、サーバ記憶部１２と、サーバ処理部１３とを備える。
【００１８】
サーバ通信部１１は、サーバ装置１０を通信ネットワーク２に接続するための通信インターフェース回路を備え、通信ネットワーク２との間で通信を行う。そして、サーバ通信部１１は、ユーザ端末２０等から受信したデータをサーバ処理部１３に供給する。また、サーバ通信部１１は、サーバ処理部１３から供給されたデータをユーザ端末２０等に送信する。
【００１９】
サーバ記憶部１２は、例えば、磁気テープ装置、磁気ディスク装置、光ディスク装置及び半導体メモリ装置等を備える。サーバ記憶部１２は、サーバ処理部１３での処理に用いられるコンピュータプログラム及びデータ等を記憶する。例えば、サーバ記憶部１２は、アプリケーションプログラムとして、所定の私募リートに係る売却ニーズ及び購入ニーズのマッチングを行うプログラム（マッチングプログラム）等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部１２にインストールされてもよい。
【００２０】
また、サーバ記憶部１２は、データとして、図３に示すユーザテーブル、図４に示す商品テーブル、図５に示す売買ニーズテーブル等を記憶する。これらテーブルについては後述する。
【００２１】
サーバ処理部１３は、一又は複数個のプロセッサ及びその周辺回路を備える。サーバ処理部１３は、例えばＣＰＵであり、サーバ装置１０の全体的な動作を統括的に制御する。サーバ処理部１３は、サーバ記憶部１２に記憶されているプログラム等に基づいてサーバ装置１０の各種処理が適切な手順で実行されるように、サーバ通信部１１等の動作を制御する。サーバ処理部１３は、サーバ記憶部１２に記憶されているプログラム（オペレーティングシステムプログラムやドライバプログラム、アプリケーションプログラム等）に基づいて処理を実行する。
【００２２】
サーバ処理部１３は、表示情報処理部１３１と、マッチング処理部１３２と、売買ニーズ処理部１３３とを備える。これらの各部は、サーバ処理部１３が備えるプロセッサで実行されるプログラムにより実現される機能モジュールである。あるいは、これらの各部は、ファームウェアとしてサーバ装置１０に実装されてもよい。
【００２３】
表示情報処理部１３１は、サーバ記憶部１２に記憶された売買ニーズに基づいて、売買ニーズのそれぞれを売買ニーズに係る売買希望価格、売買希望口数、及び売買希望期限と共に表示するための表示情報を生成し、ユーザ端末２０等に送信する。マッチング処理部１３２は、ユーザ端末２０から売買ニーズを受け付け、所定の条件を満たす売買ニーズ同士をマッチングする。売買ニーズ処理部１３３は、ユーザ端末２０から受け付けた売買ニーズをサーバ記憶部１２に記憶された売買ニーズテーブルに登録する。
【００２４】
図３は、ユーザを管理するためのユーザテーブルの一例を示す図である。ユーザテーブルには、各ユーザについて、「ユーザＩＤ」、「パスワード」、「ユーザ名」、「所属」、「連絡先」、「保有商品情報」及び「お気に入り商品登録情報」等の情報が関連付けて記憶される。
【００２５】
「ユーザＩＤ」は、ユーザを識別するための情報である。「パスワード」は、サーバ装置１０が提供するマッチングサービスにログインするためのパスワードを表す情報である。「ユーザ名」は、ユーザの氏名・名称を表す情報である。「所属」は、ユーザが所属する会社名や部署名を表す情報である。「連絡先」は、ユーザの電話番号、ＦＡＸ番号、メールアドレスその他の連絡先を表す情報である。「保有商品情報」は、ユーザが現時点において保有している私募リートの商品ＩＤ及びその保有投資口数を表す情報である。「お気に入り商品登録情報」は、ユーザが登録したお気に入り商品に係る情報である。ここで、お気に入り商品とは、後述する商品テーブルに変更があった場合に、ユーザが変更内容の通知を希望する私募リートをいう。「お気に入り商品登録情報」には、お気に入り商品として登録された所定の私募リートに係る商品ＩＤ、通知条件及び通知方法等が含まれる。通知条件は、例えば、当該私募リートについて、所定の売買希望価格の売買ニーズが売買ニーズテーブルに登録された場合、マッチングが成立した場合、その他任意の条件であってよい。通知方法は、例えば、電話による方法、ＦＡＸによる方法、郵送による方法、メールによる方法、その他任意の方法であってよい。
【００２６】
図４は、私募リートを管理するための商品テーブルの一例を示す図である。商品テーブルには、各私募リートについて、「商品ＩＤ」、「運用会社ＩＤ」、「商号」、「投資口数」及び「保有者（保有口数）」等の情報が関連付けて記憶される。
【００２７】
「商品ＩＤ」は、私募リートを識別するための情報である。「運用会社ＩＤ」は、当該私募リートに係る運用会社を識別するための情報である。「投資口数」は、当該私募リートについて現時点で発行されている証券（投資口）の総数である。「保有者（保有口数）」は、当該私募リートの投資口を保有しているユーザのユーザＩＤと、各ユーザが保有している投資口の数である。
【００２８】
図５は、売買ニーズを管理するための売買ニーズテーブルの一例を示す図である。売買ニーズテーブルには、各売買ニーズについて、「ニーズＩＤ」、「登録日」、「ユーザＩＤ」、「商品ＩＤ」、「ニーズ種別」、「売買希望価格」、「口数」、「タイプ」、「決済期限」、及び「有効期限」等の情報が関連付けて記憶される。
【００２９】
「ニーズＩＤ」は、売買ニーズ（売却ニーズ又は購入ニーズ）を識別するための情報（売却ニーズＩＤ又は購入ニーズＩＤ）である。「登録日」は、当該売買ニーズが売買ニーズテーブルに記憶された日を表す情報である。「ユーザＩＤ」は、当該売買ニーズの主体としてのユーザに係るユーザＩＤである。「商品ＩＤ」は、当該売買ニーズの客体としての私募リートの商品ＩＤである。「ニーズ種別」は、当該売買ニーズが売却データ又は購入データのいずれであるかを示す情報であり、「売却」又は「購入」として表される。「売買希望価格」は、当該売買ニーズに係る売買希望価格を表す情報であり、基準価額と売買希望比率との積（例えば、「基準価額×１０１．５％」）として表される。「口数」は、当該売買ニーズに係る売買希望口数を表す情報である。「タイプ」は、当該売買ニーズの売買タイプを示す情報である。「決済期限」は、当該売買ニーズの決済期限を示す情報である。「有効期限」は、ユーザ等が設定した当該売買ニーズの有効期限を表す情報である。
【００３０】
図６は、ユーザ端末２０の機能上の構成を示すブロック図である。
【００３１】
ユーザ端末２０は、端末通信部２１と、端末記憶部２２と、操作部２３と、表示部２４と、端末処理部２５とを備える。ユーザ端末２０は、サーバ装置１０から各種画面の表示データ等を受信して表示する。また、ユーザ端末２０は、ユーザによる操作部２３（ボタン等）の操作に応じて、売却ニーズ又は購入ニーズをサーバ装置１０に送信する。
【００３２】
端末通信部２１は、出力部の一例であり、ユーザ端末２０を通信ネットワーク２に接続するための通信インターフェース回路を備え、通信ネットワーク２との間で通信を行う。そして、端末通信部２１は、サーバ装置１０等から受信したデータを端末処理部２５に供給する。また、端末通信部２１は、端末処理部２５から供給されたデータをサーバ装置１０等に送信する。
【００３３】
端末記憶部２２は、例えば、磁気テープ装置、磁気ディスク装置、光ディスク装置及び半導体メモリ装置等を備える。端末記憶部２２は、端末処理部２５での処理に用いられるオペレーティングシステムプログラム、ドライバプログラム、アプリケーションプログラム、データ等を記憶する。例えば、端末記憶部２２は、アプリケーションプログラムとして、所定の私募リートに係る売却ニーズ及び購入ニーズのマッチングを行うプログラム等を記憶する。コンピュータプログラムは、例えばＣＤ−ＲＯＭ、ＤＶＤ−ＲＯＭ等のコンピュータ読み取り可能な可搬型記録媒体から、公知のセットアッププログラム等を用いて端末記憶部２２にインストールされてもよい。また、端末記憶部２２は、所定の処理に係る一時的なデータを一時的に記憶してもよい。
【００３４】
操作部２３は、ユーザ端末２０の操作が可能であればどのようなデバイスでもよく、例えば、タッチパネル、キーボタン等である。プレイヤは、操作部２３を用いて、文字、数字、記号等を入力することができる。操作部２３は、ユーザにより操作された場合、その操作に対応する信号を生成する。そして、生成された信号は、ユーザの指示として、端末処理部２５に供給される。
【００３５】
表示部２４は、映像や画像等の表示が可能であればどのようなデバイスでもよく、例えば、液晶ディスプレイや有機ＥＬ（Electro−Luminescence）ディスプレイ等である。表示部２４は、例えば液晶タッチパネルディスプレイにより操作部２３と一体化されていてもよい。表示部２４は、端末処理部２５から供給された画像データに応じた画像等を表示する。
【００３６】
端末処理部２５は、一又は複数個のプロセッサ及びその周辺回路を備える。端末処理部２５は、例えばＣＰＵ（Central Processing Unit）であり、ユーザ端末２０の全体的な動作を統括的に制御する。端末処理部２５は、端末記憶部２２に記憶されているプログラムや操作部２３の操作等に基づいてユーザ端末２０の各種処理が適切な手順で実行されるように、端末通信部２１や表示部２４等の動作を制御する。端末処理部２５は、端末記憶部２２に記憶されているプログラム（オペレーティングシステムプログラムやドライバプログラム、アプリケーションプログラム等）に基づいて処理を実行する。
【００３７】
以下、マッチングシステム１が実行する各処理の動作シーケンスについて説明する。以下に説明する各動作シーケンスは、予めサーバ記憶部１２及び端末記憶部２２に記憶されているプログラムに基づいて、主にサーバ処理部１３及び端末処理部２５により、サーバ装置１０及びユーザ端末２０の各要素と協働して実行される。
【００３８】
図７は、売買ニーズ登録処理の動作シーケンスの一例を示す図である。
【００３９】
（ステップＳ１０１）
まず、ユーザ端末２０の端末処理部２５は、ユーザが操作部２３を操作することにより売買ニーズ登録画面の表示を選択すると、表示部２４に売買ニーズ登録画面１０００を表示させる。このとき例えば、端末処理部２５がサーバ装置１０に売買ニーズ登録画面の表示データの要求を送信し、当該要求に対する応答として、サーバ装置１０がサーバ記憶部１２等に記憶された売買ニーズ登録画面１０００の表示データをユーザ端末２０に送信してもよい。或いは例えば、ユーザ端末２０の端末処理部２５は、サーバ装置１０に当該要求を送信せずとも、予めユーザ端末２０の端末記憶部２２に記憶された売買ニーズ登録画面１０００の表示データに基づいて、売買ニーズ登録画面１０００を表示部２４に表示させてもよい。
【００４０】
図８は、売買ニーズ登録画面１０００の一例を示す図である。売買ニーズ登録画面１０００は、売買ニーズの各条件を設定することにより売買ニーズ情報を登録するための画面である。図８に示すとおり、売買ニーズ登録画面１０００は例えば、売買ニーズの設定項目として、価格、口数、タイプ、有効期限、決済期限、及び売買の種別等を含む。
【００４１】
（ステップＳ１０２）
次に、ユーザ端末２０の表示部２４に売買ニーズ登録画面が表示された状態において、ユーザ端末２０の操作部２３は、ユーザによる売買ニーズの各設定項目の入力を受け付ける。
【００４２】
（ステップＳ１０３）
次に、ユーザ端末２０の端末処理部２５は、ユーザが各条件を設定した上で送信を選択すると、設定された条件による売買ニーズに係る情報を、サーバ装置１０に送信する。
【００４３】
（ステップＳ１０４）
次に、サーバ装置１０の売買ニーズ処理部１３３は、ユーザ端末２０から受信した売買ニーズに係る情報を、サーバ記憶部１２に記憶した売買ニーズテーブル（図５参照）に登録することにより、売買ニーズテーブルを更新する。以上で、売買ニーズ登録処理の動作シーケンスが終了する。
【００４４】
図９は、マッチング処理の動作シーケンスの一例を示す図である。以下の例では、売り手側ユーザが利用するユーザ端末２０をユーザ端末２０Ａと称し、買い手側ユーザが利用するユーザ端末２０をユーザ端末２０Ｂと称する。
【００４５】
（ステップＳ２０１）
まず、ユーザ端末２０Ａの端末処理部２５は、ユーザが操作部２３を操作することにより売買ニーズ一覧画面の表示を選択すると、当該選択を受け付ける。
【００４６】
（ステップＳ２０２）
次に、ユーザ端末２０Ａの端末処理部２５は、売買ニーズ一覧画面の表示データの要求をサーバ装置１０に送信する。
【００４７】
（ステップＳ２０３）
次に、サーバ装置１０の表示情報処理部１３１は、上記要求を受信すると、サーバ記憶部１２に記憶されたデータに基づいて、売買ニーズ一覧画面の表示データを生成する。
【００４８】
（ステップＳ２０４）
次に、サーバ装置１０の表示情報処理部１３１は、生成された売買ニーズ一覧画面の表示データを、ユーザ端末２０Ａに送信する。
【００４９】
（ステップＳ２０５）
次に、ユーザ端末２０Ａの端末処理部２５は、サーバ装置１０から売買ニーズ一覧画面の表示データを受信すると、表示部２４に売買ニーズ一覧画面を表示させる。
【００５０】
図１０は、売買ニーズ一覧画面２０００の一例を示す図である。売買ニーズ一覧画面２０００は、売買希望価格ごとに、所定の私募リートに係る売買希望口数の総和を表した表である。図１０に示すとおり、売買ニーズ一覧画面は、中央に配置された「価格」の列２００１と、左側に配置された「売り」の列２００２と、右側に配置された「買い」の列２００３とを含む。
【００５１】
「価格」２００１の列には、基準価額と売買希望比率との積を示す文字列等（例えば、「基準価額×１０１．５０％」）によって表された売買希望価格が表示される。「売り」の列２００２には、売却希望価格ごとに、所定の私募リートに係る売却希望口数の総和を示す数値が表示される。「買い」の列２００３には、購入希望価格ごとに、所定の私募リートに係る購入希望口数の総和を示す数値が表示される。なお、図１０では、「売り」の列２００２及び「買い」の列２００３には数値や文字が表示されているが、これら列の表示態様は数値や文字に限られない。例えば、これら列を、棒グラフや折れ線グラフ等のグラフやチャートその他任意の表示態様により表示してもよい。
【００５２】
ここで、図１０に示す売買ニーズ一覧画面２０００において、ユーザは、「売り」の列２００２に表示された売却希望口数の総和を示す数値を選択することができる。当該選択により、図１１に示すとおり、例えば「売り」の列２００２の左側に、該当する売却希望価格における売却ニーズが個別に表示される。このとき、例えば、各売却ニーズの「タイプ」、「口数」、「有効期限」、及び「決済期限」等が示される。図１１に示す例では、売却希望価格が「基準価額×１００．５０％」である各売却ニーズ（すなわち、分割可タイプの３００口、分割可タイプの２００口、一括タイプの４００口、一括タイプの１６５口、及び一括タイプの１００口）が、「売り」の列２００２の左側に表示されている。各売却ニーズの「タイプ」、「口数」、「有効期限」、及び「決済期限」等の下段に示された各アイコン等を選択することにより、選択された項目によって売却ニーズがソートされるようにしてもよい。
【００５３】
また、図１０に示す売買ニーズ一覧画面２０００において、ユーザは、「買い」の列２００３に表示された購入希望口数の総和を示す数値を選択することができる。当該選択により、図１１に示すとおり、例えば「買い」の列２００３の右側に、該当する購入希望価格における購入ニーズが個別に表示される。このとき、例えば、各購入ニーズの「タイプ」、「口数」、「有効期限」、及び「決済期限」等が示される。図１１に示す例では、購入希望価格が「基準価額×１００．２５％」である各購入ニーズ（すなわち、分割可タイプの３５０口、分割可タイプの２００口、一括タイプの１５０口、及び一括タイプの１００口）が、「買い」の列２００３の右側に表示されている。各購入ニーズの「タイプ」、「口数」、「有効期限」、及び「決済期限」等の下段に示された各アイコン等を選択することにより、選択された項目によって購入ニーズがソートされるようにしてもよい。
【００５４】
（ステップＳ２０６）
次に、ユーザ端末２０Ａの端末処理部２５は、ユーザが操作部２３を操作することにより売買ニーズを選択すると、当該選択を受け付ける。具体的には、例えば図１１に示すように個別の売りニーズ又は買いニーズが表示された状態で、ユーザが操作部２３を操作することによりいずれかの売りニーズ又は買いニーズが選択すると、端末処理部２５は当該選択を受け付ける。
【００５５】
（ステップＳ２０７）
次に、ユーザ端末２０Ａの端末処理部２５は、選択された売りニーズ又は買いニーズに係るマッチング要求画面３０００を表示部２４に表示する。このとき例えば、端末処理部２５がサーバ装置１０にマッチング要求画面３０００の表示データの要求を送信し、当該要求に対する応答として、サーバ装置１０がサーバ記憶部１２等に記憶されたマッチング要求画面３０００の表示データをユーザ端末２０Ａに送信してもよい。或いは例えば、ユーザ端末２０Ａの端末処理部２５は、サーバ装置１０に当該要求を送信せずとも、予めユーザ端末２０Ａの端末記憶部２２に記憶されたマッチング要求画面３０００の表示データに基づいて、マッチング要求画面３０００を表示部２４に表示させてもよい。
【００５６】
図１２は、マッチング要求画面３０００の一例を示す図である。マッチング要求画面３０００では、選択された売りニーズ又は買いニーズの詳細情報と共に、当該選択された売りニーズ又は買いニーズとのマッチングの意思を確認するボタン等が表示される。図１２に示す例では、購入希望価格を「基準価額×１００．５０％」、購入希望口数を「４００口」、タイプを「一括」、決済期限を「２０１８年２月２８日」とする私募リート「○○プライベートリート投資法人」の買いニーズの詳細３００１が表示されている。ユーザは、操作部２３を操作することにより、「マッチングする口数を入力して下さい。」と表示されたボックス３００２にマッチングを希望する口数を入力することができる。また、ユーザは、操作部２３を操作しマッチング要求画面３０００において「利用規約に同意してマッチングする」などと表示されたボタン３００３を選択することにより、マッチング要求を選択することができる。なお、タイプが「一括」である売買ニーズに対して、売買希望口数（図１２の例では「４００口」））以外の数値をボックス３００２に入力した場合、端末処理部２５は表示部２４にエラーを表示してもよい。
【００５７】
（ステップＳ２０８）
次に、ユーザ端末２０Ａの端末処理部２５は、ユーザが操作部２３を操作することによりマッチング要求を選択すると、当該選択を受け付ける。
【００５８】
（ステップＳ２０９）
次に、ユーザ端末２０Ａの端末処理部２５は、マッチング要求をサーバ装置１０に送信する。
【００５９】
（ステップＳ２１０）
次に、サーバ装置１０のマッチング処理部１３２は、マッチング要求に係る売却ニーズ及び購入ニーズを登録すると共に、サーバ記憶部１２に記憶された売買ニーズテーブルを更新する。
【００６０】
（ステップＳ２１１）
次に、サーバ装置１０のマッチング処理部１３２は、ユーザ端末２０Ｂに、マッチングが成立した旨を示す通知（マッチング通知）を送信する。以上で、マッチング処理の動作シーケンスが終了する。
【００６１】
以上説明したとおり、上述の実施形態では、サーバ装置１０は、所定の金融商品に係る複数の売買ニーズを記憶するサーバ記憶部１２と、複数の売買ニーズのそれぞれを売買希望価格、売買希望口数、及び売買希望期限と共に表示するための表示情報を生成し、表示情報を通信ネットワーク２を介して接続されたユーザ端末２０に送信する表示情報処理部１３１と、ユーザ端末２０から、少なくとも一の売買ニーズとのマッチングの要求を受け付けるマッチング要求受付部１３２と、を備える。したがって、ユーザは、各売買ニーズの売買希望口数及び売買希望期限を知ることができ、これら情報に基づいた適切な判断によって、マッチング要求を通知することができる。
【００６２】
なお、上述した売買ニーズ一覧画面２０００の態様は一例であって、例えば、売買希望口数は表示され売買希望期限は表示されない態様や、売買希望期限は表示され売買希望口数は表示されない態様を採用してもよい。また、各態様において、売買ニーズのタイプは表示されてもよく、表示されなくてもよい。
【００６３】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。また、各処理ステップ間に他のステップを追加してもよい。また、１ステップとして記載されているステップを、複数ステップに分けて実行してもよいし、複数ステップに分けて記載されているものを、１ステップとして把握することもできる。
【符号の説明】
【００６４】
１…マッチングシステム、１０…サーバ装置、１１…サーバ通信部、１２…サーバ記憶部、１３…サーバ処理部、１３１…表示情報処理部、１３２…マッチング処理部、１３３…売買ニーズ処理部、２０…ユーザ端末、２１…端末通信部、２２…端末記憶部、２３…操作部、２４…表示部、２５…端末処理部
【図１】
2019168919.tif 000003
【図２】
2019168919.tif 000004
【図３】
2019168919.tif 000005
【図４】
2019168919.tif 000006
【図５】
2019168919.tif 000007
【図６】
2019168919.tif 000008
【図７】
2019168919.tif 000009
【図８】
2019168919.tif 000010
【図９】
2019168919.tif 000011
【図１０】
2019168919.tif 000012
【図１１】
2019168919.tif 000013
【図１２】
2019168919.tif 000014